(57)【特許請求の範囲】
【請求項１】
粉塵を吸引するための吸込口を有するタンクと、
該タンク内に設けられた袋状の一次フィルタと、
該一次フィルタの内側に設けられたカバーと、
該カバーの上方に設けられたファン及び該ファンを駆動するモータと、
を有する集塵機において、
該カバーが、トップカバーとボトムカバーとを有し、
該トップカバーと該ボトムカバーとで、該モータの回転軸を中心とする環状の二次フィルタを支持し、該二次フィルタの外周面と該一次フィルタの内周面とが互いに向かい合うよう構成すると共に、
該一次フィルタの内側であって該ボトムカバーの下方に、該ボトムカバーと該一次フィルタ底部との距離よりも小さい高さ寸法を有し、通気性のある材料からなる弾性体を上下方向に移動可能に収容し、
該一次フィルタ内側が、該タンク内における該一次フィルタ外側の空間よりも負圧になると、該一次フィルタの収縮力により該弾性体が上方へ移動して該ボトムカバーに接触し、該弾性体が上下方向に圧縮されるようにしたことを特徴とする集塵機。
【請求項２】
該弾性体の一部を繰り抜いて繰り抜き部を形成し、該一次フィルタが該弾性体の内側へと変形できるよう構成したことを特徴とする請求項１記載の集塵機。
【発明の詳細な説明】
【技術分野】
【０００１】
本発明は、フィルタに付着した粉塵を払い落とす除塵機能を備えた集塵機に関する。
【背景技術】
【０００２】
特許文献１に示された集塵機は、フィルタの内側面に負圧によって弾性変形するフィルタケージを設け、運転を停止するとフィルタケージが復元してフィルタを膨張させフィルタ表面に堆積した粉塵を払い落とすものであった。
【先行技術文献】
【特許文献】
【０００３】
【特許文献１】特開２００２−０４５３１８号公報
【発明の概要】
【発明が解決しようとする課題】
【０００４】
しかし特許文献１に示された集塵機では、フィルタケージがフィルタに固定されているため、フィルタの膨張の大きさはフィルタケージの弾性変形の大きさとほぼ同等程度でしかなく、粉塵を払い落とす効果は小さかった。
【０００５】
本発明の目的は、上記の問題を解決し、粉塵を払い落とす能力がより高い集塵機を提供することにある。
【課題を解決するための手段】
【０００６】
上記目的を達成するため、粉塵を吸引するための吸込口を有するタンクと、該タンク内に設けられた袋状の一次フィルタと、該一次フィルタの内側に設けられたカバーと、該カバーの上方に設けられたファン及び該ファンを駆動するモータと、を有する集塵機において、該一次フィルタの内側であって該カバーの下方に、弾性体を上下方向に移動可能に設けた。
【０００７】
また、該カバーで二次フィルタを支持し、該二次フィルタ及び該カバーの下方に該弾性体を配置し、該二次フィルタの外周面と該一次フィルタの内周面とが互いに向かい合うよう構成する。
【０００８】
また該弾性体の一部を繰り抜いて繰り抜き部を形成し、該一次フィルタが該弾性体の内側へと変形できるよう構成する。
【発明の効果】
【０００９】
請求項１記載の発明によれば、一次フィルタの内部であってカバーの下方に、弾性体を上下方向に移動可能に設けたので、運転時は負圧によってフィルタが収縮して弾性体を上方へ移動させるとともに圧縮させ、運転を停止させると弾性体が膨張するとともに下方へと落下しフィルタに勢いよく衝突する。この衝撃によりフィルタは大きく変形し、フィルタ表面に堆積していた粉塵を強く払い落とすことが可能となる。
【００１０】
請求項２記載の発明によれば、運転時に弾性体が圧縮されても弾性体と二次フィルタとが接触しにくくなり、弾性体によって空気が流れ難くなるのを防ぐことができる。
【００１１】
請求項３記載の発明によれば、弾性体を追加してもタンクの容量を確保することができる。
【図面の簡単な説明】
【００１２】
【図１】本発明に係る集塵機の停止時の状態を示す全体断面図
【図２】本発明に係る集塵機の運転時の状態を示す全体断面図
【発明を実施するための形態】
【００１３】
本発明に係る集塵機１について、図１及び図２を参照しながら説明する。
【００１４】
集塵機１の上部には、モーター２と、モーター２によって回転駆動されるファン２ａと、モーター２の起動及び停止を制御するためのスイッチ３を備えたヘッド部４が設けられている。ヘッド部４の下部には、吸引した粉塵５を貯めるための上部が開口したタンク６が設けられている。タンク６の側面には、粉塵５を搬送するための図示しないダクトホースが接続される吸込口６ａが設けられている。
【００１５】
タンク６の上部では、上端に開口部を有する一次フィルタ７がタンク６とヘッド部４との間に挟まれるようにして保持されている。一次フィルタ７の上端には開口部を形成するフック部７ｂが設けられ、フック部７ｂの下方に袋状の濾布材７ａ部が連続して設けられている。
【００１６】
一次フィルタ７の内側には、トップカバー８ｂとボトムカバー８ｃとによって挟まれるように支持された二次フィルタ８ａが設けられている。二次フィルタ８ａは蛇腹状の濾布からなり、上方から見てモータ−２の回転軸を中心とする環状を構成するよう形成されている。二次フィルタ８ａ、トップカバー８ｂ及びボトムカバー８ｃで二次フィルタユニット８を構成している。そしてトップカバー８ｂ及びボトムカバー８ｃが特許請求の範囲に記載したカバーとして作用する。フック部７ｂ及びトップカバー８ｂがタンク６とヘッド部４との間に挟まれることにより一次フィルタ７と二次フィルタユニット８がタンク６に対して保持されている。
【００１７】
一次フィルタ７の内側であってボトムカバー８ｃの下方には、通気性のあるスポンジ等からなる弾性体９が設けられている。弾性体９は上方から環状に形成されており、一次フィルタとボトムカバー８ｃのいずれにも固定されず、自由に上下方向にも横方向にも移動できるよう一次フィルタ７の内側に収容されている。
【００１８】
上記のように構成された集塵機１を運転する場合、スイッチ３をオンするとモーター２が起動し、ファン２ａの回転によりタンク６の内部が負圧となり、ダクトホースから粉塵５を含む空気がタンク６の内部に吸引される。空気はダクトホースから吸込口６ａを経てタンク６の内部に吸引され、一次フィルタ７と二次フィルタ８ａを通過して集塵機１の外部に排出される。空気が一次フィルタ７を通過するときに粉塵５が一次フィルタ７の外側に付着してろ過され、さらに空気が二次フィルタ８ａを通過するときに残りの粉塵５が二次フィルタ８ａの外側に付着してろ過される。
【００１９】
一次フィルタ７に付着した粉塵５の量が多くなってくると、一次フィルタ７が目詰まりして空気が一次フィルタ７を通過し難くなり、空気が通過するときの抵抗により一次フィルタ７が内側に引っ張られて収縮するようになる。一次フィルタ７が収縮しようとする力により弾性体９が上方へ持ち上げられてボトムカバー８ｃの下面に接触し、弾性体９はボトムカバー８ｃと一次フィルタ７との間で挟まれて圧縮される。
【００２０】
そしてスイッチ３をオフして運転を停止させると、一次フィルタ７を通過しようとする空気の流れがなくなり、一次フィルタ７を内側に引っ張る力がなくなる。そして弾性体９は圧縮された状態から開放されて下方に向かって膨張するとともに、自重により下方に向かって勢いよく落下を始める。これに伴い一次フィルタ７も収縮した状態から開放されて下方に向かって伸び、元の状態まで戻ったころにさらに弾性体９が勢いよく一次フィルタ７に衝突して一次フィルタをさらに大きく膨張させる。そしてその反動により一次フィルタ７は再び収縮するとともに弾性体９を上方へと持ち上げ、一次フィルタ７があたかもトランポリンのように弾み、一次フィルタ７に付着していた粉塵５を強く払い落とすことができる。
【００２１】
なお弾性体９は二次フィルタ８ａよりも下方に配置されており、収縮してもボトムカバー８ｃが障壁となって二次フィルタ８ａに接触し難くなっている。一次フィルタ７と弾性体９が収縮した状態でも二次フィルタ８ａの外周が一次フィルタ７と向かい合うことになり、空気の流れが弾性体９によって遮られることがない。
【００２２】
また弾性体９は上方から見て環状であり中央が繰り抜かれて繰り抜き部９ａを形成しているので、図２に示すように、弾性体９の中央においては一次フィルタ７は弾性体９よりもさらに内側へと収縮することになり、弾性体９の追加によるタンク９の容量低減を抑えることができる。
【符号の説明】
【００２３】
１    本体
２    モーター
２ａ  ファン
３    スイッチ
４    ヘッド部
５    粉塵
６    タンク
６ａ  吸込口
７    一次フィルタ
７ａ  濾布
７ｂ  フック部
８    二次フィルタユニット
８ａ  二次フィルタ
８ｂ  トップカバー
８ｃ  ボトムカバー
９    弾性体
９ａ  繰り抜き部
【図１】
0005765175.tif 000002
【図２】
0005765175.tif 000003